(57)【要約】  ４アンテナシステムに適用されるチャネル状態情報フィードバック方法及び端末であって、前記方法は、端末がチャネル状態情報を取得し、端末がＰＭＩ１情報及びＲＩ情報を４ビット又は５ビットのフィードバックレポートにジョイント符号化し、又は、ＰＭＩ１情報及びＰＭＩ２情報を４ビットフィードバックレポートにジョイント符号化し、又は、ＰＭＩ２情報を２ｂｉｔでフィードバックすることと、前記端末が前記フィードバックレポートを物理上りリンク制御チャネルでフィードバックすることと、を含む。【選択図】図１
2016511571.tif 000002
【特許請求の範囲】
【請求項１】
４アンテナシステムに適用されるチャネル状態情報フィードバック方法であって、
端末が第１類プリコーディング行列インジケータＰＭＩ１情報及びランクインジケータＲＩ情報を含むチャネル状態情報を取得することと、
前記端末が前記ＰＭＩ１情報及び前記ＲＩ情報を４ビット又は５ビットのフィードバックレポートにジョイント符号化し、前記フィードバックレポートがＲＩ情報及びＰＭＩ１情報で構成される組合せ情報集合のうちの１種を指示することに用いられ、前記組合せ情報集合が、
ＲＩ＝１とＭ１個のＰＭＩ１のそれぞれとの組合せ情報、
ＲＩ＝２とＭ２個のＰＭＩ１のそれぞれとの組合せ情報、
ＲＩ＝３と１個のＰＭＩ１との組合せ情報、
ＲＩ＝４と１個のＰＭＩ１との組合せ情報、
のうちの１つを少なくとも含み、そのうち、Ｍ１＝Ｍ２＝８、又は、Ｍ１＝Ｍ２＝４、又はＭ１＝１６、Ｍ２＝８、又はＭ１＝８、Ｍ２＝１６、又はＭ１＝１６、Ｍ２＝４、又はＭ１＝４、Ｍ２＝１６、又は、Ｍ１＝８、Ｍ２＝４、又は、Ｍ１＝４、Ｍ２＝８であることと、
前記端末が前記フィードバックレポートを物理上りリンク制御チャネルでフィードバックすることと、を含むチャネル状態情報フィードバック方法。
【請求項２】
前記Ｍ１＝８又はＭ２＝８であると、前記８個のＰＭＩ１はそれぞれ、Ｒｅｌ−８コードブックにおける第０、２、４、６、８、１０、１２、１４のコードワードを指示する請求項１に記載の方法。
【請求項３】
前記Ｍ１＝４又はＭ２＝４であると、前記４個のＰＭＩ１はそれぞれ、Ｒｅｌ−８コードブックにおける第０、４、８、１２のコードワードを指示する請求項１に記載の方法。
【請求項４】
前記Ｍ１＝４又はＭ２＝４であると、前記４個のＰＭＩ１はそれぞれ、Ｒｅｌ−８コードブックにおける第０、２、４、６のコードワードを指示する請求項１に記載の方法。
【請求項５】
前記Ｍ１＝Ｍ２であると、前記Ｍ１個のＰＭＩ１は前記Ｍ２個のＰＭ２と同じである請求項１に記載の方法。
【請求項６】
前記Ｍ１＝Ｍ２であると、前記Ｍ１個のＰＭＩ１は前記Ｍ２個のＰＭ２と同じではない請求項１に記載の方法。
【請求項７】
４アンテナシステムに適用されるチャネル状態情報フィードバック方法であって、
端末がランクインジケータＲＩ情報、第２類プリコーディング行列インジケータＰＭＩ２情報、サブバンド指示情報及びチャネル品質情報を含むチャネル状態情報を取得することと、
前記端末が物理上りリンク制御チャネルで前記チャネル状態情報をフィードバックし、そのうち、ＲＩ＝３又は４であると、前記ＰＭＩ２情報が２ビットであり、前記ＰＭＩ２が第一コードワード集合における１つのコードワードを指示し、前記第一コードワード集合が、Ｒｅｌ−８コードブックのうちのランクＲａｎｋ３、４に対応するコードブックから選択された４個のコードワードを含むことと、を含むチャネル状態情報フィードバック方法。
【請求項８】
前記第一コードワード集合は、
Ｒｅｌ−８コードブックのうちのＲａｎｋ３、４に対応するコードブックの第０、１、２、３のコードワードを第１組とし、Ｒｅｌ−８コードブックのうちのＲａｎｋ３、４に対応するコードブックの第８、９、１０、１１のコードワードを第２組とし、前記第１組から２個のコードワードを選択して前記第一コードワード集合に入れ、前記第２組から２個のコードワードを選択して前記第一コードワード集合に入れることを含む請求項７に記載の方法。
【請求項９】
前記第一コードワード集合は、
Ｒｅｌ−８コードブックのうちのＲａｎｋ３、４に対応するコードブックの第０、２、８、１０のコードワードを第３組とし、Ｒｅｌ−８コードブックのうちのＲａｎｋ３、４に対応するコードブックの第１、３、９、１１のコードワードを第４組とし、前記第３組から２個のコードワードを選択して前記第一コードワード集合に入れ、前記第４組から２個のコードワードを選択して前記第一コードワード集合に入れることを含む請求項７に記載の方法。
【請求項１０】
前記第一コードワード集合は、
Ｒｅｌ−８コードブックのうちのＲａｎｋ３、４に対応するコードブックの第０、２、３、１０のコードワードを第５組とし、Ｒｅｌ−８コードブックのうちのＲａｎｋ３、４に対応するコードブックの第２、８、９、１１のコードワードを第６組とし、前記第５組から２個のコードワードを選択して前記第一コードワード集合に入れ、前記第６組から２個のコードワードを選択して前記第一コードワード集合に入れることを含む請求項７に記載の方法。
【請求項１１】
前記第一コードワード集合は、
Ｒｅｌ−８コードブックのうちのＲａｎｋ３、４に対応するコードブックの第０、１、２、９のコードワードを第７組とし、Ｒｅｌ−８コードブックのうちのＲａｎｋ３、４に対応するコードブックの第３、１０、８、１１のコードワードを第８組とし、前記第７組から２個のコードワードを選択して前記第一コードワード集合に入れ、前記第８組から２個のコードワードを選択して前記第一コードワード集合に入れることを含む請求項７に記載の方法。
【請求項１２】
前記第一コードワード集合は、
Ｒｅｌ−８コードブックのうちのＲａｎｋ３、４に対応するコードブックの第８、９、１０、１１のコードワードを含む請求項７に記載の方法。
【請求項１３】
前記第一コードワード集合は、
Ｒｅｌ−８コードブックのうちのＲａｎｋ３、４に対応するコードブックの第１２、１３、１４、１５のコードワードを含む請求項７に記載の方法。
【請求項１４】
前記第一コードワード集合は、
Ｒｅｌ−８コードブックのうちのＲａｎｋ３、４に対応するコードブックの第０、２、１２、１４のコードワードを含む請求項７に記載の方法。
【請求項１５】
前記第一コードワード集合は、
Ｒｅｌ−８コードブックのうちのＲａｎｋ３、４に対応するコードブックの第４、５、６、７のコードワードを含む請求項７に記載の方法。
【請求項１６】
前記第一コードワード集合は、
Ｒｅｌ−８コードブックのうちのＲａｎｋ３、４に対応するコードブックの第０、１、２、３のコードワードを含む請求項７に記載の方法。
【請求項１７】
前記第一コードワード集合は、
Ｒｅｌ−８コードブックのうちのＲａｎｋ３、４に対応するコードブックの第０、１、３、１０のコードワードを含む請求項７に記載の方法。
【請求項１８】
前記第一コードワード集合は、
Ｒｅｌ−８コードブックのうちのＲａｎｋ３、４に対応するコードブックの第０、１、８、１１のコードワードを含む請求項７に記載の方法。
【請求項１９】
前記第一コードワード集合は、
Ｒｅｌ−８コードブックのうちのＲａｎｋ３、４に対応するコードブックの第０、１、２、９のコードワードを含む請求項７に記載の方法。
【請求項２０】
前記第一コードワード集合は、
Ｒｅｌ−８コードブックのうちのＲａｎｋ３、４に対応するコードブックの第１、３、９、１１のコードワードを含む請求項７に記載の方法。
【請求項２１】
前記第一コードワード集合は、
Ｒｅｌ−８コードブックのうちのＲａｎｋ３、４に対応するコードブックの第０、２、８、１０のコードワードを含む請求項７に記載の方法。
【請求項２２】
前記第一コードワード集合は、
Ｒｅｌ−８コードブックのうちのＲａｎｋ３、４に対応するコードブックの第０、２、３、１０のコードワードを含む請求項７に記載の方法。
【請求項２３】
前記第一コードワード集合は、
Ｒｅｌ−８コードブックのうちのＲａｎｋ３、４に対応するコードブックの第３、８、１０、１１のコードワードを含む請求項７に記載の方法。
【請求項２４】
前記第一コードワード集合は、
Ｒｅｌ−８コードブックのうちのＲａｎｋ３、４に対応するコードブックの第２、９、８、１１のコードワードを含む請求項７に記載の方法。
【請求項２５】
前記第一コードワード集合は、
Ｒｅｌ−８コードブックのうちのＲａｎｋ３、４に対応するコードブックの第２、３、９、１０のコードワードを含む請求項７に記載の方法。
【請求項２６】
４アンテナシステムに適用されるチャネル状態情報フィードバック方法であって、
端末がランクインジケータＲＩ情報、第２類プリコーディング行列インジケータＰＭＩ２情報、サブバンド指示情報及びチャネル品質情報を含むチャネル状態情報を取得することと、
前記端末が物理上りリンク制御チャネルで前記チャネル状態情報をフィードバックし、そのうち、ＲＩ＝１又は２であると、前記ＰＭＩ２情報が２ビットであり、第二コードワード集合における１つのコードワードを指示し、前記第二コードワード集合は、
高級ロングタームエボリューションＬＴＥ−Ａ  Ｒｅｌ１２バージョンにおいてランクｒａｎｋ１に対応するコードブック又はＬＴＥ−Ａ  Ｒｅｌ１２バージョンにおいてｒａｎｋ２に対応する第一コードブック又は第二コードブックにおける第０、１、２、３のコードワード、
又は、ＬＴＥ−Ａ  Ｒｅｌ１２バージョンにおいてｒａｎｋ１に対応するコードブック又はＬＴＥ−Ａ  Ｒｅｌ１２バージョンにおいてｒａｎｋ２に対応する第一コードブック又は第二コードブックにおける第０、１、８、９のコードワード、
又は、ＬＴＥ−Ａ  Ｒｅｌ１２バージョンにおいてｒａｎｋ１に対応するコードブック又はＬＴＥ−Ａ  Ｒｅｌ１２バージョンにおいてｒａｎｋ２に対応する第一コードブック又は第二コードブックにおける第０、４、８、１２のコードワード、
又は、ＬＴＥ−Ａ  Ｒｅｌ１２バージョンにおいてｒａｎｋ１に対応するコードブック又はＬＴＥ−Ａ  Ｒｅｌ１２バージョンにおいてｒａｎｋ２に対応する第一コードブック又は第二コードブックにおける第０、４、５、１２のコードワード、
又は、ＬＴＥ−Ａ  Ｒｅｌ１２バージョンにおいてｒａｎｋ１に対応するコードブック又はＬＴＥ−Ａ  Ｒｅｌ１２バージョンにおいてｒａｎｋ２に対応する第一コードブック又は第二コードブックにおける第０、１、４、５のコードワード、
又は、ＬＴＥ−Ａ  Ｒｅｌ１２バージョンにおいてｒａｎｋ１に対応するコードブック又はＬＴＥ−Ａ  Ｒｅｌ１２バージョンにおいてｒａｎｋ２に対応する第一コードブック又は第二コードブックにおける第１２、１３、１４、１５のコードワードを含むことと、を含むチャネル状態情報フィードバック方法。
【請求項２７】
４アンテナシステムに適用されるチャネル状態情報フィードバック方法であって、
端末がランクインジケータＲＩ情報、第１類プリコーディング行列インジケータＰＭＩ１情報及び第２類プリコーディング行列インジケータＰＭＩ２情報を含むチャネル状態情報を取得することと、
前記端末が、前記ＰＭＩ１情報及びＰＭＩ２情報を４ビットのフィードバックレポートにジョイント符号化することと、
前記端末が物理上りリンク制御チャネルで前記フィードバックレポートをフィードバックすることと、
前記フィードバックレポートが第一プリコーディング行列インジケータと第二プリコーディング行列インジケータで構成される組合せ情報集合のうちの１種を指示することに用いられ、前記組合せ情報集合が指示するコードワードは、高級ロングタームエボリューションＬＴＥ−Ａ  Ｒｅｌ１２バージョンにおいてＲａｎｋ１に対応するコードブック又はＲａｎｋ２に対応する第一コードブック又は第二コードブックにおけるコードワードを含むことと、を含むチャネル状態情報フィードバック方法。
【請求項２８】
2016511571.tif 000050
【請求項２９】
2016511571.tif 000051
【請求項３０】
2016511571.tif 000052
【請求項３１】
2016511571.tif 000053
【請求項３２】
2016511571.tif 000054
【請求項３３】
2016511571.tif 000055
【請求項３４】
2016511571.tif 000056
【請求項３５】
2016511571.tif 000057
【請求項３６】
2016511571.tif 000058
【請求項３７】
2016511571.tif 000059
【請求項３８】
2016511571.tif 000060
【請求項３９】
2016511571.tif 000061
【請求項４０】
2016511571.tif 000062
【請求項４１】
2016511571.tif 000063
【請求項４２】
2016511571.tif 000064
【請求項４３】
2016511571.tif 000065
【請求項４４】
2016511571.tif 000066
【請求項４５】
2016511571.tif 000067
【請求項４６】
2016511571.tif 000068
【請求項４７】
第１類プリコーディング行列インジケータＰＭＩ１情報及びランクインジケータＲＩ情報を含むチャネル状態情報を取得するように設定されるチャネル状態情報取得ユニットと、
前記ＰＭＩ１情報及び前記ＲＩ情報を４ビット又は５ビットのフィードバックレポートにジョイント符号化するように設定され、前記フィードバックレポートがＲＩ情報及びＰＭＩ１情報で構成される組合せ情報集合のうちの１種を指示することに用いられ、前記組合せ情報集合が、
ＲＩ＝１とＭ１個のＰＭＩ１のそれぞれとの組合せ情報、
ＲＩ＝２とＭ２個のＰＭＩ１のそれぞれとの組合せ情報、
ＲＩ＝３と１個のＰＭＩ１との組合せ情報、
ＲＩ＝４と１個のＰＭＩ１との組合せ情報、
のうちの１つを少なくとも含み、そのうち、Ｍ１＝Ｍ２＝８、又は、Ｍ１＝Ｍ２＝４、又はＭ１＝１６、Ｍ２＝８、又はＭ１＝８、Ｍ２＝１６、又はＭ１＝１６、Ｍ２＝４、又はＭ１＝４、Ｍ２＝１６、又は、Ｍ１＝８、Ｍ２＝４、又は、Ｍ１＝４、Ｍ２＝８であるコーディングユニットと、
前記フィードバックレポートを物理上りリンク制御チャネルでフィードバックするように設定されるフィードバックユニットと、を備える端末。
【請求項４８】
前記Ｍ１＝８又はＭ２＝８であると、前記８個のＰＭＩ１はそれぞれ、Ｒｅｌ−８コードブックにおける第０、２、４、６、８、１０、１２、１４のコードワードを指示する請求項４７に記載の端末。
【請求項４９】
前記Ｍ１＝４又はＭ２＝４であると、前記４個のＰＭＩ１はそれぞれ、Ｒｅｌ−８コードブックにおける第０、４、８、１２のコードワードを指示する請求項４７に記載の端末。
【請求項５０】
前記Ｍ１＝４又はＭ２＝４であると、前記４個のＰＭＩ１はそれぞれ、Ｒｅｌ−８コードブックにおける第０、２、４、６のコードワードを指示する請求項４７に記載の端末。
【請求項５１】
前記Ｍ１＝Ｍ２であると、前記Ｍ１個のＰＭＩ１は前記Ｍ２個のＰＭ２と同じである請求項４７に記載の端末。
【請求項５２】
前記Ｍ１＝Ｍ２であると、前記Ｍ１個のＰＭＩ１は前記Ｍ２個のＰＭ２と同じではない請求項４７に記載の端末。
【請求項５３】
ランクインジケータＲＩ情報、第２類プリコーディング行列インジケータＰＭＩ２情報、サブバンド指示情報及びチャネル品質情報を含むチャネル状態情報を取得するように設定されるチャネル状態情報取得ユニットと、
物理上りリンク制御チャネルで前記チャネル状態情報をフィードバックするように設定され、そのうち、ＲＩ＝３又は４であると、前記ＰＭＩ２情報が２ビットであり、前記ＰＭＩ２が第一コードワード集合における１つのコードワードを指示し、前記第一コードワード集合が、Ｒｅｌ−８コードブックのうちのランクＲａｎｋ３、４に対応するコードブックから選択された４個のコードワードを含むフィードバックユニットと、を備える端末。
【請求項５４】
前記第一コードワード集合は、
Ｒｅｌ−８コードブックのうちのＲａｎｋ３、４に対応するコードブックの第０、１、２、３のコードワードを第１組とし、Ｒｅｌ−８コードブックのうちのＲａｎｋ３、４に対応するコードブックの第８、９、１０、１１のコードワードを第２組とし、前記第１組から２個のコードワードを選択して前記第一コードワード集合に入れ、前記第２組から２個のコードワードを選択して前記第一コードワード集合に入れることを含む請求項５３に記載の端末。
【請求項５５】
前記第一コードワード集合は、
Ｒｅｌ−８コードブックのうちのＲａｎｋ３、４に対応するコードブックの第０、２、８、１０のコードワードを第３組とし、Ｒｅｌ−８コードブックのうちのＲａｎｋ３、４に対応するコードブックの第１、３、９、１１のコードワードを第４組とし、前記第３組から２個のコードワードを選択して前記第一コードワード集合に入れ、前記第４組から２個のコードワードを選択して前記第一コードワード集合に入れることを含む請求項５３に記載の端末。
【請求項５６】
前記第一コードワード集合は、
Ｒｅｌ−８コードブックのうちのＲａｎｋ３、４に対応するコードブックの第０、２、３、１０のコードワードを第５組とし、Ｒｅｌ−８コードブックのうちのＲａｎｋ３、４に対応するコードブックの第２、８、９、１１のコードワードを第６組とし、前記第５組から２個のコードワードを選択して前記第一コードワード集合に入れ、前記第６組から２個のコードワードを選択して前記第一コードワード集合に入れることを含む請求項５３に記載の端末。
【請求項５７】
前記第一コードワード集合は、
Ｒｅｌ−８コードブックのうちのＲａｎｋ３、４に対応するコードブックの第０、１、２、９のコードワードを第７組とし、Ｒｅｌ−８コードブックのうちのＲａｎｋ３、４に対応するコードブックの第３、１０、８、１１のコードワードを第８組とし、前記第７組から２個のコードワードを選択して前記第一コードワード集合に入れ、前記第８組から２個のコードワードを選択して前記第一コードワード集合に入れることを含む請求項５３に記載の端末。
【請求項５８】
前記第一コードワード集合は、
Ｒｅｌ−８コードブックのうちのＲａｎｋ３、４に対応するコードブックの第８、９、１０、１１のコードワードを含む請求項５３に記載の端末。
【請求項５９】
前記第一コードワード集合は、
Ｒｅｌ−８コードブックのうちのＲａｎｋ３、４に対応するコードブックの第１２、１３、１４、１５のコードワードを含む請求項５３に記載の端末。
【請求項６０】
前記第一コードワード集合は、
Ｒｅｌ−８コードブックのうちのＲａｎｋ３、４に対応するコードブックの第０、２、１２、１４のコードワードを含む請求項５３に記載の端末。
【請求項６１】
前記第一コードワード集合は、
Ｒｅｌ−８コードブックのうちのＲａｎｋ３、４に対応するコードブックの第４、５、６、７のコードワードを含む請求項５３に記載の端末。
【請求項６２】
前記第一コードワード集合は、
Ｒｅｌ−８コードブックのうちのＲａｎｋ３、４に対応するコードブックの第０、１、２、３のコードワードを含む請求項５３に記載の端末。
【請求項６３】
前記第一コードワード集合は、
Ｒｅｌ−８コードブックのうちのＲａｎｋ３、４に対応するコードブックの第０、１、  ３、１０のコードワードを含む請求項５３に記載の端末。
【請求項６４】
前記第一コードワード集合は、
Ｒｅｌ−８コードブックのうちのＲａｎｋ３、４に対応するコードブックの第０、１、８、１１のコードワードを含む請求項５３に記載の端末。
【請求項６５】
前記第一コードワード集合は、
Ｒｅｌ−８コードブックのうちのＲａｎｋ３、４に対応するコードブックの第０、１、２、９のコードワードを含む請求項５３に記載の端末。
【請求項６６】
前記第一コードワード集合は、
Ｒｅｌ−８コードブックのうちのＲａｎｋ３、４に対応するコードブックの第１、３、９、１１のコードワードを含む請求項５３に記載の端末。
【請求項６７】
前記第一コードワード集合は、
Ｒｅｌ−８コードブックのうちのＲａｎｋ３、４に対応するコードブックの第０、２、８、１０のコードワードを含む請求項５３に記載の端末。
【請求項６８】
前記第一コードワード集合は、
Ｒｅｌ−８コードブックのうちのＲａｎｋ３、４に対応するコードブックの第０、２、３、１０のコードワードを含む請求項５３に記載の端末。
【請求項６９】
前記第一コードワード集合は、
Ｒｅｌ−８コードブックのうちのＲａｎｋ３、４に対応するコードブックの第３、８、１０、１１のコードワードを含む請求項５３に記載の端末。
【請求項７０】
前記第一コードワード集合は、
Ｒｅｌ−８コードブックのうちのＲａｎｋ３、４に対応するコードブックの第２、９、８、１１のコードワードを含む請求項５３に記載の端末。
【請求項７１】
前記第一コードワード集合は、
Ｒｅｌ−８コードブックのうちのＲａｎｋ３、４に対応するコードブックの第２、３、９、１０のコードワードを含む請求項５３に記載の端末。
【請求項７２】
ランクインジケータＲＩ情報、第２類プリコーディング行列インジケータＰＭＩ２情報、サブバンド指示情報及びチャネル品質情報を含むチャネル状態情報を取得するように設定されるチャネル状態情報取得ユニットと、
物理上りリンク制御チャネルで前記チャネル状態情報をフィードバックするように設定され、そのうち、ＲＩ＝１又は２であると、前記ＰＭＩ２情報が２ビットであり、第二コードワード集合における１つのコードワードを指示し、前記第二コードワード集合は、
高級ロングタームエボリューションＬＴＥ−Ａ  Ｒｅｌ１２バージョンにおいてｒａｎｋ１に対応するコードブック又はＬＴＥ−Ａ  Ｒｅｌ１２バージョンにおいてランクｒａｎｋ２に対応する第一コードブック又は第二コードブックにおける第０、１、２、３のコードワード、
又は、ＬＴＥ−Ａ  Ｒｅｌ１２バージョンにおいてｒａｎｋ１に対応するコードブック又はＬＴＥ−Ａ  Ｒｅｌ１２バージョンにおいてｒａｎｋ２に対応する第一コードブック又は第二コードブックにおける第０、１、８、９のコードワード、
又は、ＬＴＥ−Ａ  Ｒｅｌ１２バージョンにおいてｒａｎｋ１に対応するコードブック又はＬＴＥ−Ａ  Ｒｅｌ１２バージョンにおいてｒａｎｋ２に対応する第一コードブック又は第二コードブックにおける第０、４、８、１２のコードワード、
又は、ＬＴＥ−Ａ  Ｒｅｌ１２バージョンにおいてｒａｎｋ１に対応するコードブック又はＬＴＥ−Ａ  Ｒｅｌ１２バージョンにおいてｒａｎｋ２に対応する第一コードブック又は第二コードブックにおける第０、４、５、１２のコードワード、
又は、ＬＴＥ−Ａ  Ｒｅｌ１２バージョンにおいてｒａｎｋ１に対応するコードブック又はＬＴＥ−Ａ  Ｒｅｌ１２バージョンにおいてｒａｎｋ２に対応する第一コードブック又は第二コードブックにおける第０、１、４、５のコードワード、
又は、ＬＴＥ−Ａ  Ｒｅｌ１２バージョンにおいてｒａｎｋ１に対応するコードブック又はＬＴＥ−Ａ  Ｒｅｌ１２バージョンにおいてｒａｎｋ２に対応する第一コードブック又は第二コードブックにおける第１２、１３、１４、１５のコードワードを含むフィードバックユニットと、を備える端末。
【請求項７３】
ランクインジケータＲＩ情報、第１類プリコーディング行列インジケータＰＭＩ１情報及び第２類プリコーディング行列インジケータＰＭＩ２情報を含むチャネル状態情報を取得するように設定されるチャネル状態情報取得ユニットと、
前記ＰＭＩ１情報及びＰＭＩ２情報を４ビットのフィードバックレポートにジョイント符号化するように設定され、前記フィードバックレポートが第一プリコーディング行列インジケータと第二プリコーディング行列インジケータで構成される組合せ情報集合のうちの１種を指示することに用いられ、前記組合せ情報集合が指示するコードワードは高級ロングタームエボリューションＬＴＥ−Ａ  Ｒｅｌ１２バージョンにおいてランクＲａｎｋ１に対応するコードブック又はＲａｎｋ２に対応する第一コードブック又は第二コードブックにおけるコードワードを含むコーディングユニットと、
物理上りリンク制御チャネルで前記フィードバックレポートをフィードバックするように設定されるフィードバックユニットと、を備える端末。
【請求項７４】
2016511571.tif 000069
【請求項７５】
2016511571.tif 000070
【請求項７６】
2016511571.tif 000071
【請求項７７】
2016511571.tif 000072
【請求項７８】
2016511571.tif 000073
【請求項７９】
2016511571.tif 000074
【請求項８０】
2016511571.tif 000075
【請求項８１】
2016511571.tif 000076
【請求項８２】
2016511571.tif 000077
【請求項８３】
2016511571.tif 000078
【請求項８４】
2016511571.tif 000079
【請求項８５】
2016511571.tif 000080
【請求項８６】
2016511571.tif 000081
【請求項８７】
2016511571.tif 000082
【請求項８８】
2016511571.tif 000083
【請求項８９】
2016511571.tif 000084
【請求項９０】
2016511571.tif 000085
【請求項９１】
2016511571.tif 000086
【請求項９２】
2016511571.tif 000087
【発明の詳細な説明】
【技術分野】
【０００１】
本発明は通信分野に関し、特にチャネル状態情報フィードバック方法及び端末に関する。
【背景技術】
【０００２】
無線通信システムでは、送信端及び受信端は空間多重化の方式で複数本のアンテナを用いてより高いレートを取得する。普通の空間多重化方法に対して、強化された技術は、受信端がチャネル情報を送信端にフィードバックし、送信端が取得されたチャネル情報に基づいて一部の送信プリコーディング技術を用いることにより、大幅に伝送性能を向上させることである。シングルユーザ多入力多出力（Ｍｕｌｔｉ−ｉｎｐｕｔ  Ｍｕｌｔｉ−ｏｕｔｐｕｔ、ＭＩＭＯ）において、直接にチャネル特徴ベクトル情報でプリコーディングを行い、マルチユーザＭＩＭＯにおいて、正確なチャネル情報が必要である。
【０００３】
ロングタームエボリューション（Ｌｏｎｇ  Ｔｅｒｍ  Ｅｖｏｌｕｔｉｏｎ、ＬＴＥ）計画では、チャネル情報のフィードバックは、主に簡単な単一コードブックのフィードバック方法を用いるが、ＭＩＭＯの送信プリコーディング技術の性能は、そのうちのコードブックフィードバックの正確性に依存する。
【０００４】
2016511571.tif 000003
【０００５】
2016511571.tif 000004
【０００６】
2016511571.tif 000005
【０００７】
2016511571.tif 000006
2016511571.tif 000007
【０００８】
2016511571.tif 000008
【０００９】
2016511571.tif 000009
【００１０】
2016511571.tif 000010
【００１１】
2016511571.tif 000011
2016511571.tif 000012
2016511571.tif 000013
2016511571.tif 000014
2016511571.tif 000015
【００１２】
2016511571.tif 000016
2016511571.tif 000017
【００１３】
2016511571.tif 000018
【００１４】
2016511571.tif 000019
2016511571.tif 000020
【００１５】
2016511571.tif 000021
【００１６】
2016511571.tif 000022
【００１７】
2016511571.tif 000023
2016511571.tif 000024
【００１８】
2016511571.tif 000025
2016511571.tif 000026
【図面の簡単な説明】
【００１９】
【図１】図１は、本発明の実施例に係るチャネル状態情報フィードバック方法の模式図である。
【図２】図２は、本発明の実施例に係るチャネル状態情報フィードバック方法の模式図である。
【図３】図３は、本発明の実施例に係るチャネル状態情報フィードバック方法の模式図である。
【図４】図４は、本発明の実施例に係るチャネル状態情報フィードバック方法の模式図である。
【図５】図５は、本発明の実施例に係る端末のブロック図である。
【図６】図６は、本発明の実施例に係る端末のブロック図である。
【図７】図７は、本発明の実施例に係る端末のブロック図である。
【図８】図８は、本発明の実施例に係る端末のブロック図である。
【００２０】
2016511571.tif 000027
2016511571.tif 000028
2016511571.tif 000029
2016511571.tif 000030
【００２１】
2016511571.tif 000031
【００２２】
2016511571.tif 000032
2016511571.tif 000033
【００２３】
2016511571.tif 000034
2016511571.tif 000035
【００２４】
2016511571.tif 000036
【００２５】
2016511571.tif 000037
【００２６】
2016511571.tif 000038
【００２７】
2016511571.tif 000039
【００２８】
2016511571.tif 000040
【００２９】
2016511571.tif 000041
【００３０】
2016511571.tif 000042
【００３１】
2016511571.tif 000043
【００３２】
2016511571.tif 000044
【００３３】
2016511571.tif 000045
【００３４】
2016511571.tif 000046
【００３５】
2016511571.tif 000047
2016511571.tif 000048
【００３６】
2016511571.tif 000049
【図１】
2016511571.tif 000088
【図２】
2016511571.tif 000089
【図３】
2016511571.tif 000090
【図４】
2016511571.tif 000091
【図５】
2016511571.tif 000092
【図６】
2016511571.tif 000093
【図７】
2016511571.tif 000094
【図８】
2016511571.tif 000095
【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
４アンテナシステムに適用されるチャネル状態情報フィードバック方法であって、
端末が第１類プリコーディング行列インジケータＰＭＩ１情報及びランクインジケータＲＩ情報を含むチャネル状態情報を取得することと、
前記端末が前記ＰＭＩ１情報及び前記ＲＩ情報を４ビット又は５ビットのフィードバックレポートにジョイント符号化し、前記フィードバックレポートがＲＩ情報及びＰＭＩ１情報で構成される組合せ情報集合のうちの１種を指示することに用いられ、前記組合せ情報集合が、
ＲＩ＝１とＭ１個のＰＭＩ１のそれぞれとの組合せ情報、
ＲＩ＝２とＭ２個のＰＭＩ１のそれぞれとの組合せ情報、
ＲＩ＝３と１個のＰＭＩ１との組合せ情報、
ＲＩ＝４と１個のＰＭＩ１との組合せ情報、
のうちの１つを少なくとも含み、そのうち、Ｍ１＝Ｍ２＝８、又は、Ｍ１＝Ｍ２＝４、又はＭ１＝１６、Ｍ２＝８、又はＭ１＝８、Ｍ２＝１６、又はＭ１＝１６、Ｍ２＝４、又はＭ１＝４、Ｍ２＝１６、又は、Ｍ１＝８、Ｍ２＝４、又は、Ｍ１＝４、Ｍ２＝８であることと、
前記端末が前記フィードバックレポートを物理上りリンク制御チャネルでフィードバックすることと、を含むチャネル状態情報フィードバック方法。
【請求項２】
４アンテナシステムに適用されるチャネル状態情報フィードバック方法であって、
端末がランクインジケータＲＩ情報、第２類プリコーディング行列インジケータＰＭＩ２情報、サブバンド指示情報及びチャネル品質情報を含むチャネル状態情報を取得することと、
前記端末が物理上りリンク制御チャネルで前記チャネル状態情報をフィードバックし、そのうち、ＲＩ＝３又は４であると、前記ＰＭＩ２情報が２ビットであり、前記ＰＭＩ２が第一コードワード集合における１つのコードワードを指示し、前記第一コードワード集合が、Ｒｅｌ−８コードブックのうちのランクＲａｎｋ３、４に対応するコードブックから選択された４個のコードワードを含むことと、を含むチャネル状態情報フィードバック方法。
【請求項３】
前記第一コードワード集合は、
Ｒｅｌ−８コードブックのうちのＲａｎｋ３、４に対応するコードブックの第０、１、２、３のコードワードを第１組とし、Ｒｅｌ−８コードブックのうちのＲａｎｋ３、４に対応するコードブックの第８、９、１０、１１のコードワードを第２組とし、前記第１組から２個のコードワードを選択して前記第一コードワード集合に入れ、前記第２組から２個のコードワードを選択して前記第一コードワード集合に入れることを含み、
又は、
前記第一コードワード集合は、
Ｒｅｌ−８コードブックのうちのＲａｎｋ３、４に対応するコードブックの第０、２、８、１０のコードワードを第３組とし、Ｒｅｌ−８コードブックのうちのＲａｎｋ３、４に対応するコードブックの第１、３、９、１１のコードワードを第４組とし、前記第３組から２個のコードワードを選択して前記第一コードワード集合に入れ、前記第４組から２個のコードワードを選択して前記第一コードワード集合に入れることを含み、
又は、
前記第一コードワード集合は、
Ｒｅｌ−８コードブックのうちのＲａｎｋ３、４に対応するコードブックの第０、２、３、１０のコードワードを第５組とし、Ｒｅｌ−８コードブックのうちのＲａｎｋ３、４に対応するコードブックの第２、８、９、１１のコードワードを第６組とし、前記第５組から２個のコードワードを選択して前記第一コードワード集合に入れ、前記第６組から２個のコードワードを選択して前記第一コードワード集合に入れることを含み、
又は、
前記第一コードワード集合は、
Ｒｅｌ−８コードブックのうちのＲａｎｋ３、４に対応するコードブックの第０、１、２、９のコードワードを第７組とし、Ｒｅｌ−８コードブックのうちのＲａｎｋ３、４に対応するコードブックの第３、１０、８、１１のコードワードを第８組とし、前記第７組から２個のコードワードを選択して前記第一コードワード集合に入れ、前記第８組から２個のコードワードを選択して前記第一コードワード集合に入れることを含み、
又は、
前記第一コードワード集合は、
Ｒｅｌ−８コードブックのうちのＲａｎｋ３、４に対応するコードブックの第０、２、８、１０のコードワードを含む請求項２に記載の方法。
【請求項４】
４アンテナシステムに適用されるチャネル状態情報フィードバック方法であって、
端末がランクインジケータＲＩ情報、第２類プリコーディング行列インジケータＰＭＩ２情報、サブバンド指示情報及びチャネル品質情報を含むチャネル状態情報を取得することと、
前記端末が物理上りリンク制御チャネルで前記チャネル状態情報をフィードバックし、そのうち、ＲＩ＝１又は２であると、前記ＰＭＩ２情報が２ビットであり、第二コードワード集合における１つのコードワードを指示し、前記第二コードワード集合は、
ＬＴＥ−Ａ  Ｒｅｌ１２バージョンにおいてｒａｎｋ１に対応するコードブック又はＬＴＥ−Ａ  Ｒｅｌ１２バージョンにおいてｒａｎｋ２に対応する第一コードブック又は第二コードブックにおける第０、１、４、５のコードワードを含むことと、を含むチャネル状態情報フィードバック方法。
【請求項５】
４アンテナシステムに適用されるチャネル状態情報フィードバック方法であって、
端末がランクインジケータＲＩ情報、第１類プリコーディング行列インジケータＰＭＩ１情報及び第２類プリコーディング行列インジケータＰＭＩ２情報を含むチャネル状態情報を取得することと、
前記端末が、前記ＰＭＩ１情報及びＰＭＩ２情報を４ビットのフィードバックレポートにジョイント符号化することと、
前記端末が、物理上りリンク制御チャネルで前記フィードバックレポートをフィードバックすることと、
前記フィードバックレポートが第一プリコーディング行列インジケータと第二プリコーディング行列インジケータで構成される組合せ情報集合のうちの１種を指示することに用いられ、前記組合せ情報集合が指示するコードワードは、高級ロングタームエボリューションＬＴＥ−Ａ  Ｒｅｌ１２バージョンにおいてＲａｎｋ１に対応するコードブック又はＲａｎｋ２に対応する第一コードブック又は第二コードブックにおけるコードワードを含むことと、を含むチャネル状態情報フィードバック方法。
【請求項６】
2016511571.tif 000096
【請求項７】
2016511571.tif 000097
2016511571.tif 000098
【請求項８】
2016511571.tif 000099
2016511571.tif 000100
【請求項９】
第１類プリコーディング行列インジケータＰＭＩ１情報及びランクインジケータＲＩ情報を含むチャネル状態情報を取得するように設定されるチャネル状態情報取得ユニットと、
前記ＰＭＩ１情報及び前記ＲＩ情報を４ビット又は５ビットのフィードバックレポートにジョイント符号化するように設定され、前記フィードバックレポートがＲＩ情報及びＰＭＩ１情報で構成される組合せ情報集合のうちの１種を指示することに用いられ、前記組合せ情報集合が、
ＲＩ＝１とＭ１個のＰＭＩ１のそれぞれとの組合せ情報、
ＲＩ＝２とＭ２個のＰＭＩ１のそれぞれとの組合せ情報、
ＲＩ＝３と１個のＰＭＩ１との組合せ情報、
ＲＩ＝４と１個のＰＭＩ１との組合せ情報、
のうちの１つを少なくとも含み、そのうち、Ｍ１＝Ｍ２＝８、又は、Ｍ１＝Ｍ２＝４、又はＭ１＝１６、Ｍ２＝８、又はＭ１＝８、Ｍ２＝１６、又はＭ１＝１６、Ｍ２＝４、又はＭ１＝４、Ｍ２＝１６、又は、Ｍ１＝８、Ｍ２＝４、又は、Ｍ１＝４、Ｍ２＝８であるコーディングユニットと、
前記フィードバックレポートを物理上りリンク制御チャネルでフィードバックするように設定されるフィードバックユニットと、を備える端末。
【請求項１０】
ランクインジケータＲＩ情報、第２類プリコーディング行列インジケータＰＭＩ２情報、サブバンド指示情報及びチャネル品質情報を含むチャネル状態情報を取得するように設定されるチャネル状態情報取得ユニットと、
物理上りリンク制御チャネルで前記チャネル状態情報をフィードバックするように設定され、そのうち、ＲＩ＝３又は４であると、前記ＰＭＩ２情報が２ビットであり、前記ＰＭＩ２が第一コードワード集合における１つのコードワードを指示し、前記第一コードワード集合が、Ｒｅｌ−８コードブックのうちのランクＲａｎｋ３、４に対応するコードブックから選択された４個のコードワードを含むフィードバックユニットと、を備える端末。
【請求項１１】
前記第一コードワード集合は、
Ｒｅｌ−８コードブックのうちのＲａｎｋ３、４に対応するコードブックの第０、１、２、３のコードワードを第１組とし、Ｒｅｌ−８コードブックのうちのＲａｎｋ３、４に対応するコードブックの第８、９、１０、１１のコードワードを第２組とし、前記第１組から２個のコードワードを選択して前記第一コードワード集合に入れ、前記第２組から２個のコードワードを選択して前記第一コードワード集合に入れることを含み、
又は、
前記第一コードワード集合は、
Ｒｅｌ−８コードブックのうちのＲａｎｋ３、４に対応するコードブックの第０、２、８、１０のコードワードを第３組とし、Ｒｅｌ−８コードブックのうちのＲａｎｋ３、４に対応するコードブックの第１、３、９、１１のコードワードを第４組とし、前記第３組から２個のコードワードを選択して前記第一コードワード集合に入れ、前記第４組から２個のコードワードを選択して前記第一コードワード集合に入れることを含み、
又は、
前記第一コードワード集合は、
Ｒｅｌ−８コードブックのうちのＲａｎｋ３、４に対応するコードブックの第０、２、３、１０のコードワードを第５組とし、Ｒｅｌ−８コードブックのうちのＲａｎｋ３、４に対応するコードブックの第２、８、９、１１のコードワードを第６組とし、前記第５組から２個のコードワードを選択して前記第一コードワード集合に入れ、前記第６組から２個のコードワードを選択して前記第一コードワード集合に入れることを含み、
又は、
前記第一コードワード集合は、
Ｒｅｌ−８コードブックのうちのＲａｎｋ３、４に対応するコードブックの第０、１、２、９のコードワードを第７組とし、Ｒｅｌ−８コードブックのうちのＲａｎｋ３、４に対応するコードブックの第３、１０、８、１１のコードワードを第８組とし、前記第７組から２個のコードワードを選択して前記第一コードワード集合に入れ、前記第８組から２個のコードワードを選択して前記第一コードワード集合に入れることを含み、
又は、
前記第一コードワード集合は、
Ｒｅｌ−８コードブックのうちのＲａｎｋ３、４に対応するコードブックの第０、２、８、１０のコードワードを含む請求項１０に記載の端末。
【請求項１２】
ランクインジケータＲＩ情報、第２類プリコーディング行列インジケータＰＭＩ２情報、サブバンド指示情報及びチャネル品質情報を含むチャネル状態情報を取得するように設定されるチャネル状態情報取得ユニットと、
物理上りリンク制御チャネルで前記チャネル状態情報をフィードバックするように設定され、そのうち、ＲＩ＝１又は２であると、前記ＰＭＩ２情報が２ビットであり、第二コードワード集合における１つのコードワードを指示し、前記第二コードワード集合は、
ＬＴＥ−Ａ  Ｒｅｌ１２バージョンにおいてｒａｎｋ１に対応するコードブック又はＬＴＥ−Ａ  Ｒｅｌ１２バージョンにおいてｒａｎｋ２に対応する第一コードブック又は第二コードブックにおける第０、１、４、５のコードワードを含むフィードバックユニットと、を備える端末。
【請求項１３】
ランクインジケータＲＩ情報、第１類プリコーディング行列インジケータＰＭＩ１情報及び第２類プリコーディング行列インジケータＰＭＩ２情報を含むチャネル状態情報を取得するように設定されるチャネル状態情報取得ユニットと、
前記ＰＭＩ１情報及びＰＭＩ２情報を４ビットのフィードバックレポートにジョイント符号化するように設定され、前記フィードバックレポートが第一プリコーディング行列インジケータと第二プリコーディング行列インジケータで構成される組合せ情報集合のうちの１種を指示することに用いられ、前記組合せ情報集合が指示するコードワードは高級ロングタームエボリューションＬＴＥ−Ａ  Ｒｅｌ１２バージョンにおいてランクＲａｎｋ１に対応するコードブック又はＲａｎｋ２に対応する第一コードブック又は第二コードブックにおけるコードワードを含むコーディングユニットと、
物理上りリンク制御チャネルで前記フィードバックレポートをフィードバックするように設定されるフィードバックユニットと、を備える端末。
【請求項１４】
2016511571.tif 000101
【請求項１５】
2016511571.tif 000102
2016511571.tif 000103
【請求項１６】
2016511571.tif 000104
【国際調査報告】
2016511571.tif 000105
2016511571.tif 000106
2016511571.tif 000107
2016511571.tif 000108